(57)【要約】【課題】電子番組ガイドにより、確実に次回予告編を取得する電子番組ガイドを提供することを目的とする。【解決手段】番組のイベント情報テーブルに予告編のシーンの開始時間、継続時間を記入する放送で、放送される番組のイベント情報テーブルに基づいて各番組の予告編のシーンを取得し、予告編の録画データを作成する予告編録画データ作成手段と、番組選局、番組選局予約、番組予約録画をしたい番組選択をおこなう際に、録画しておいた当該番組の予告編を再生する次回予告再生手段と、予告編を録画した番組の番組表を作成する番組表作成手段とを有する。【選択図】図１
2011049932.tif 000002
【特許請求の範囲】
【請求項１】
番組のイベント情報テーブルに予告編のシーンの開始時間、継続時間を記入する放送で、
番組選局、番組視聴予約、番組予約録画をしたい番組選択を支援する電子番組ガイドであって、
放送される番組のイベント情報テーブルに基づいて各番組の予告編のシーンを取得し、予告編の録画データを作成する予告編録画データ作成手段と、
番組選局、番組選局予約、番組予約録画をしたい番組選択をおこなう際に、録画しておいた当該番組の予告編を再生する次回予告再生手段と、
予告編を録画した番組の番組表を作成する番組表作成手段と、
を具備することを特徴とする電子番組ガイド。
【請求項２】
番組選局、番組視聴予約、番組予約録画をしたい番組選択を支援する電子番組ガイドであって、
放送される番組のテロップ上の文字を検索して各番組の予告編のシーンを取得し、予告編の録画データを作成する予告編録画データ作成手段と、
番組選局、番組選局予約、番組予約録画をしたい番組選択をおこなう際に、録画しておいた当該番組の予告編を再生する次回予告再生手段と、
予告編を録画した番組の番組表を作成する番組表作成手段と、
を具備することを特徴とする電子番組ガイド。
【請求項３】
番組選局、番組視聴予約、番組予約録画をしたい番組選択を支援する電子番組ガイドであって、
放送される番組の画面の文字を検索して各番組の予告編のシーンを取得し、予告編の録画データを作成する予告編録画データ作成手段と、
番組選局、番組選局予約、番組予約録画をしたい番組選択をおこなう際に、録画しておいた当該番組の予告編を再生する次回予告再生手段と、
予告編を録画した番組の番組表を作成する番組表作成手段と、
を具備することを特徴とする電子番組ガイド。
【請求項４】
番組選局、番組視聴予約、番組予約録画をしたい番組選択を支援する電子番組ガイドであって、
放送される番組の音声の言葉を検索して各番組の予告編のシーンを取得し、予告編の録画データを作成する予告編録画データ作成手段と、
番組選局、番組選局予約、番組予約録画をしたい番組選択をおこなう際に、録画しておいた当該番組の予告編を再生する次回予告再生手段と、
予告編を録画した番組の番組表を作成する番組表作成手段と、
を具備することを特徴とする電子番組ガイド。
【請求項５】
予告編のシーンの検索方法として、放送される番組のテロップ上の文字の検索を加えた
ことを特徴とする請求項１に記載の電子番組ガイド。
【請求項６】
予告編のシーンの検索方法として、放送される番組の画面の文字の検索を加えた
ことを特徴とする請求項１に記載の電子番組ガイド。
【請求項７】
予告編のシーンの検索方法として、放送される番組の音声の言葉の検索を加えた
ことを特徴とする請求項１に記載の電子番組ガイド。
【請求項８】
予告編のシーンの検索方法として、放送される番組の画面の文字の検索を加えた
ことを特徴とする請求項５に記載の電子番組ガイド。
【請求項９】
予告編のシーンの検索方法として、放送される番組の音声の言葉の検索を加えた
ことを特徴とする請求項５に記載の電子番組ガイド。
【請求項１０】
予告編のシーンの検索方法として、放送される番組の音声の言葉の検索を加えた
ことを特徴とする請求項８に記載の電子番組ガイド。
【請求項１１】
予告編のシーンの検索期間を、各番組の終了間際の数分から終了までとすることを特徴とする請求項１〜１０に記載の電子番組ガイド。
【請求項１２】
予告編録画データが、存在する場合に、再放送の放送日時の情報を入手した場合、存在する予告編録画データを、その番組の予告編録画データとすることを特徴とする請求項１１に記載の電子番組ガイド。
【発明の詳細な説明】
【技術分野】
【０００１】
本発明は、テレビ受信装置の電子番組ガイドに関するものである。
【背景技術】
【０００２】
近年、テレビのチャンネル選局において、電子番組表を表示して、その中からチャンネルを選択する方法が、一般化している。また、テレビ番組の予約録画をする際に、番組表を表示して、その中から録画番組を選択し録画の予約を行うことで予約録画の操作の簡便化が図られている。
しかし、文字だけの電子番組表では、番組の内容、雰囲気がわかりにくいため、番組のコンテンツについての予告シーンを取得して録画し、電子番組表を見る場合に、次回放映予告シーン録画データを再生する技術が知られている（例えば、特許文献１参照）。
ここで、番組のコンテンツについての予告シーンを取得する方法としては、番組やコンテンツのハイライト・シーンやトピック・ヘッドラインのブックマークを作成するためにシーン記述されているＥＰＧデータのセグメント情報の次回予告のシーン情報を参照する方法が示されているが、セグメント情報に次回予告のシーン情報が放送されない場合には、番組終了間際の数分間を予告シーンと推定している。
また、番組タイトルや放送予定時間等の主情報からなる第１の番組情報と、番組に関する補助情報（例えば、予告編の映像情報）とを多重化されたテレビ放送信号を受信する手段も知られている（例えば、特許文献２参照）。
【先行技術文献】
【特許文献】
【０００３】
【特許文献１】特開２００５−１５９７７０号公報
【特許文献２】特開２００３−９２７１２号公報
【発明の概要】
【発明が解決しようとする課題】
【０００４】
しかしながら、特許文献１では、ＥＰＧデータのセグメント情報に次回予告のシーン情報が放送されない場合は、番組終了間際の数分間あるいは当該コンテンツ中の所定範囲を予告シーンと推定するしかなく、この方法では、予告シーンが、確実に録画される保証がなく、たとえ、予告シーンが取得されていた場合でも、予告シーンの前に本編の一部やＣＭが入る可能性が高く、再生視聴する場合に、本編の一部やＣＭの視聴後に予告シーンを見た後に、予告シーンを視聴するか、本編の一部やＣＭを早送りする必要が生じる課題があった。
また、特許文献２では、予告編の映像情報を多重化してテレビ放送信号に載せるため、テレビ放送信号のデータが、かなり大きくなってしまうため、放送波を効率的に利用することができないという課題があった。
【０００５】
本発明はこのような従来の課題を解決するものであり、より確実に次回予告編を取得する電子番組ガイドを提供することを目的とする。
【課題を解決するための手段】
【０００６】
上記目的を達成するために本発明の電子番組ガイドは、番組のイベント情報テーブルに予告編のシーンの開始時間、継続時間を記入する放送で、放送される番組のイベント情報テーブルに基づいて各番組の予告編のシーンを取得し、予告編の録画データを作成する予告編録画データ作成手段と、番組選局、番組選局予約、番組予約録画をしたい番組選択をおこなう際に、録画しておいた当該番組の予告編を再生する次回予告再生手段と、予告編を録画した番組の番組表を作成する番組表作成手段とを有し、より確実に次回予告編を取得する。
本構成によって、放送される番組のイベント情報テーブルから、予告編のシーンの開始時間、継続時間を入手し、予告編シーンの録画を正確におこなう。また、本発明の電子番組ガイドは、再放送が、すぐ（例えば、1週間内）にある場合は予告編のシーンを再利用するものである。
【発明の効果】
【０００７】
本発明の電子番組ガイドによれば、（本発明の解決手段に対応した効果）より正確に次回予告を録画できるという効果が得られる。
【図面の簡単な説明】
【０００８】
【図１】本発明の第１の実施の形態におけるテレビ受信機を示すブロック図
【図２】ＥＰＧからメモリカードの予告編動画データの実行の概念図
【図３】イベント情報（ＥＩＴ）のフォーマットを示す図
【図４】番組の時間の例を示す図
【図５】画面映像のテロップの領域を示す図
【図６】検索キーワードを示す図
【図７】画面映像で優先して文字検索する領域を示す図
【図８】予告編の1週間先への紐付けを示す図
【図９】予告編の翌日への紐付けを示す図
【図１０】予告編の当日の再放送への紐付けを示す図
【図１１】予告編の再放送への紐付けを示す図
【図１２】番組での予告編のある場所を示す図
【図１３】本発明の第２の実施の形態におけるテレビ受信機を示すブロック図
【発明を実施するための形態】
【０００９】
以下本発明を実施するための最良の形態について、図面を参照しながら説明する。
（実施の形態１）
図１は本発明の第１の実施の形態における電子番組ガイドのテレビ受信機を示す構成図である。図１において、１０１はテレビ受信機である。アンテナ１は、テレビ放送の電波を受信する。チューナ２は、ＲＦ信号から視聴者の操作などにより番組のテレビ信号を選局する。復調部３は、デジタル信号に復調する。ＣＰＵ４は、バス９を介してテレビ受信機１０１の各部を制御する。メモリ５には、選局中のチャンネル情報などデータを記憶する。スピーカ７は、音声信号を出力する。
操作部８は、視聴者が選局などの操作を行うための入力手段であり、電源スイッチや所望の番組を選択して視聴するためにチャンネルのアップ・ダウンキーなどが配置される。リモコン１０２は、チャンネル選局などの操作情報をリモコン信号として操作部８に出力する。バス９は、テレビ受信機１０１の各部のデータ信号、制御信号を伝える。ＴＳデコーダ１０は、トランスポート・ストリーム（ＴＳ）を解釈して、映像・音声のパケットとそれ以外のデータ放送やＥＰＧ、選局に必要な情報を分離し、映像・音声のパケットをＡＶデコーダ１１に送り、データ放送のパケットはＣＰＵ４に送る。ＡＶデコーダ１１は、ＴＳから映像信号と音声信号を複合する。
画像重畳部１２は、ＡＶデコーダ１１でデコードされた映像信号と、ＣＰＵ４で処理された字幕やデータ放送の画像を重ね合わせ、表示部６に送る。表示部６は、復号し重畳された映像信号を表示する。メモリカードＩ／Ｆ１３は、メモリカード１０３を挿入することにより、ＣＰＵ４より、メモリカード１０３上にデータを書き込み、メモリカード１０３から、データを読み出す。メモリカード１０３は、映像・音声データを書き込み、読み出す。放送された映像信号・音声信号はメモリカード１０３に録画でき、再生し、表示部６に映像を表示し、スピーカ７に音声出力する。
次に、図２は本発明の第１の実施の形態におけるＥＰＧからメモリカードの予告編動画データの実行例である。電子番組表（ＥＰＧ）は、番組情報データ（ＥＩＴ）の番組名、スタート時間、継続時間等を参照し、番組表を作成する。メモリカード１０３には、予告編の動画データを録画し、番組表の番組枠をアクセスすると、その番組の予告編の動画データを起動し、再生する。なお、本実施の形態においては、メモリカードに予告編動画データを録画する構成について説明したが、本願発明はこれに限定されるものではなく、記録媒体であればどのような構成でも実現可能である。
次に、図３は本発明の第１の実施の形態におけるイベント情報テーブル（ＥＩＴ）のフォーマット例である。ＥＩＴには、番組タイトルや開始時間、番組の継続時間、進行状況、スクランブル情報が記載されている。本発明においては、ＥＩＴのdescriptorに”新規データ”が登録できるため、descriptorに予告編の開始時間と継続時間を記入し、放送する。なお、上述した例においては、予告編の開始時間と継続時間について説明したが、本願発明はこれに限定されるものではなく、例えば、予告編の開始時間と終了時間を記入し、放送する構成とすることも可能である。また、その他、予告編の時間を指定できるデータであれば良い。
次に、図４は番組の時間の例である。ＥＩＴに記載された予告編の開始時間と継続時間から、番組における予告編の放送時間を確定できる。この例においては、１９時５５分から次回の予告編が開始しており、継続時間が１分となっていることから、１９時５６分で次回予告編が終了していることが分かる。従って、この情報に基づいて、この情報を受信した受信装置は、１９時５５分から５６分のストリームを記録すればよいことが分かる。
次に、別の判別方法について図５を参照しながら説明する。図５は本発明の第１の実施の形態における画面映像のテロップの領域である。別の判別方法としては、テロップが、文字データとして、放送されている場合は、予告編でよく使われるキーワードでテロップの文字データを、検索して、予告編のシーンを検索する。
具体的には、テロップが、既に映像データに重畳して、放送されている場合は、画面映像から文字認識して、キーワードを検索する。画面映像から文字認識する場合、横書きのテロップが、画面上部、もしくは、画面下部に表示されることが多いので、画面を横に4等分してその最上部と最下部で、まず、文字認識する。一方、縦書きの場合は、左右両端にテロップが流れる可能性が高いので、画面を縦に6等分して
その両端で、まず、文字認識する。
次に、文字認識について、図６を参照しながら説明する。図６は本発明の第１の実施の形態における検索キーワードである。図６に示すように、予告編のデータが流れている場合には、「次回、予告、予告編、来週、明日」等の情報が追加されている場合が多いため、これらのキーワードを検索することにより、予告編のデータが流れていることを識別することが可能になる。
次に、文字認識の処理を行う領域について図７を参照しながら説明する。図７は本発明の第１の実施の形態における画面映像で優先して文字検索する領域である。
画面映像からキーワードを検索する場合は、まず、画面映像から文字認識する必要がある。キーワードは、図７で示した位置に表示される可能性が高いので、横書きの場合は、画面映像を横に5等分して、最上、中、最下をまず、文字認識する。縦書きの場合は、画面映像を縦に6等分して、まず、右、中の2つ、左で、文字認識する。また、音声出力を音声認識して、図６のキーワードと比較して、予告編のシーンを検索することも可能である。
次に、録画した予告編のシーンと番組表との連動について図８以下を参照しながら説明する。図８は、本発明の第１の実施の形態における予告編の1週間先への紐付けである。1週間ごとに同じ曜日の同じ時間に放送される番組の場合の予告編録画と番組表へのリンクを示す。予告編録画データは、番組表の次週の同じ曜日の同じ時間にリンクする。
さらに、図９は本発明の第１の実施の形態における予告編の翌日への紐付けである。毎日、同じ時間に放送される番組の場合の予告編録画と番組表へのリンクを示す。予告編録画データは、番組表の翌日の同じ時間にリンクする。
さらに、図１０は本発明の第１の実施の形態における予告編の当日の再放送への紐付けである。当日の再放送がある場合の番組表へのリンクを示す。番組情報データ（ＥＩＴ）で、同じ番組、回数、「再」があるものを検索し、番組表のその時間にも、予告編録画をリンクする。
さらに、図１１は本発明の第１の実施の形態における予告編の再放送への紐付けである。再放送がある場合の番組表へのリンクを示す。番組情報データ（ＥＩＴ）で、同じ番組、回数、「再」があるものを検索し、番組表のその日時間にも、予告編録画をリンクする。
さらに、図１２は本発明の第１の実施の形態における番組での予告編のある場所である。この図１２に示すように、上述した番組の終了時に限らず、本編の途中に予告編が放送されることもあり、これらの場合であっても上述した処理により、確実に予告編を録画することが可能になる。
【００１０】
（実施の形態２）
次に、図１３を参照しながら、第２の実施形態における電子番組ガイドを採用したテレビ受信機について説明する。図１３は本発明の第２の実施の形態における電子番組ガイドのテレビ受信機を示す構成図である。
図１１において、１０１〜１０３および、1〜１３は、図１と同じであるであるため、その説明を省略する。ＨＤＭＩＩ／Ｆ１４は、テレビ受信機１０１とＤＶＤレコーダ１０４間で映像や音声のデジタル信号、操作コマンドを送受信する。
ハードディスク１５は、記憶装置であり、映像・音声データを記録する。ＬＡＮＩ／Ｆ１６は、ＤＶＤレコーダ１０４は、映像・音声データを記録する。ブロードバンドルータ１０５は、インターネット網１０６と屋内ＬＡＮを接続して、通信をおこなう。番組宣伝を検索、録画をおこなう。ＨＤＭＩ経由で、ＤＶＤ、ＨＤＤの録画番組、映画を検索する。インターネット経由で動画サイトを検索（番組名、回数）する。
ハードディスク、メモリカード内の録画番組を検索（番組名、回数）する。所望の番組がある場合は、ＥＩＴから、録画番組の予告編の開始時間を探して、チャプタポイントを、その点に打って、プレイリストを作成する。録画番組を消す場合も、予告編のみ残す。
【００１１】
番組宣伝を録画し、予告編の代わりに使ってもよい。この場合、テロップ、画像映像、音声より、番組名、放送日時を検出する。
【産業上の利用可能性】
【００１２】
本発明にかかる電子番組ガイドは、正確に次回予告の録画が可能になるので有用である。
【符号の説明】
【００１３】
１    アンテナ
２    チューナ
３    復調部
４    ＣＰＵ
５    メモリ
６    表示部
７    スピーカ
８    操作部
９    バス
１０    ＴＳデコーダ
１１    ＡＶデコーダ
１２    画像重畳部
１３    メモリカードＩ／Ｆ
１４    ＨＤＭＩＩ／Ｆ
１５    ハードディスク
１６    ＬＡＮＩ／Ｆ
１０１    テレビ受信機
１０２    リモコン
１０３    メモリカード
１０４    ＤＶＤレコーダ
１０５    ブロードバンドルータ
１０６    インターネット網
【図１】
2011049932.tif 000003
【図２】
2011049932.tif 000004
【図３】
2011049932.tif 000005
【図４】
2011049932.tif 000006
【図５】
2011049932.tif 000007
【図６】
2011049932.tif 000008
【図７】
2011049932.tif 000009
【図８】
2011049932.tif 000010
【図９】
2011049932.tif 000011
【図１０】
2011049932.tif 000012
【図１１】
2011049932.tif 000013
【図１２】
2011049932.tif 000014
【図１３】
2011049932.tif 000015